(57)【要約】【課題】  携帯端末の他人による不正使用に対して、面倒な操作を必要とせずコストアップのないセキュリティシステムを有する携帯端末を提供すること。【解決手段】  本発明にかかる携帯端末は、少なくとも現在位置特定手段と、特定の位置範囲の設定を記憶する位置範囲記憶手段と、電源の充電を制御する充電制御手段と、電源となる二次電池と、前記二次電池を充電する充電手段とを備え、位置範囲記憶手段に記憶された位置範囲以外では、充電を不可能にするものである。【選択図】  図１
2006013685.tif 000002
【特許請求の範囲】
【請求項１】
携帯端末の現在位置を特定する位置情報を取得する位置情報取得手段と、
当該携帯端末の電源となる二次電池を充電する充電手段と、
前記充電手段による充電を制御する充電制御手段とを備えた携帯端末であって、
前記充電制御手段は、
前記位置情報取得手段が取得した位置情報により特定される携帯端末の現在位置が、予め設定された充電許可位置以外である場合に、前記充電手段による充電を禁止する携帯端末。
【請求項２】
前記位置情報取得手段は、当該携帯端末が通信する基地局の識別情報を取得する手段であることを特徴とする請求項１記載の携帯端末。
【請求項３】
前記位置情報取得手段は、ＧＰＳ（衛星利用測位システム）を利用して位置情報を取得する手段であることを特徴とする請求項１記載の携帯端末。
【請求項４】
携帯端末の不正利用を防止する方法であって、
前記携帯端末の充電を感知するステップと、
携帯端末の現在位置を特定する位置情報を取得するステップと、
前記位置情報により特定される携帯端末の現在位置が、予め設定された充電許可位置かどうかを判定するステップと、
前記携帯端末の現在位置が前記充電許可位置以外である場合に、携帯端末の充電を禁止するステップとを備えた携帯端末の不正利用防止方法。
【請求項５】
前記携帯端末の位置情報は、当該携帯端末が通信する基地局の識別情報であることを特徴とする請求項４記載の携帯端末の不正利用防止方法。
【請求項６】
前記携帯端末の位置情報は、ＧＰＳ（衛星利用測位システム）により送信された位置情報であることを特徴とする請求項４記載の携帯端末の不正利用防止方法。
【請求項７】
携帯端末に対する充電を制御する充電制御手段とを備えた充電制御回路であって、
前記携帯端末の現在位置を特定する位置情報を取得し、当該位置情報により特定される携帯端末の現在位置が予め設定された充電許可位置以外である場合に、携帯端末に対する充電を禁止する充電制御回路。
【発明の詳細な説明】
【技術分野】
【０００１】
本発明は携帯電話機や携帯情報端末や腕時計などの携帯端末を他人が不正に利用することを防止するための技術にかんするものである。
【背景技術】
【０００２】
近年、携帯電話装置は通話に使うのみならず、電話帳をはじめ電子メール、スケジュール等、セキュリティを必要とする重要な情報が内部に保存されるようになっている。また、携帯情報端末や腕時計などの携帯端末においても重要な情報が内部に保存される。このような携帯端末が盗難などに遭ったり紛失したりした場合、内部に保存されたデータが不正に利用される可能性があるという問題点がある。また、データが保存されていなかったとしても、盗難または紛失した携帯端末が携帯電話であった場合、他人に利用されればその分の利用料金を払わなければならなくなってしまう。
【０００３】
上記の様な他人による不正利用を防止する方法としては、暗証番号、パスワードによるロック機能が広く実施されている。暗証番号、パスワードによるロック機能では、携帯端末を使用しない場合には携帯端末の状態をロック状態に設定し、使用時には所有者のみにわかる暗証番号、パスワードを入力しロックを解除するものである。また、電源投入時には、自動的にロック状態になるように設定することもできる。
【０００４】
暗証番号、パスワードを用いたロック機能に、携帯端末の位置情報を同時に利用して、操作の簡略化とセキュリティ強度のバランスをとっている本人認証システムが、特許文献１に記載されている。特許文献１によれば、ユーザが携行している携帯端末のＧＰＳ機能を用いてユーザの位置情報を取得し、その位置情報をデータベースに蓄積する。そしてユーザが携帯端末からサーバなどへアクセスする際に、アクセス時の位置情報とこの位置情報の履歴とを比較し、ユーザがその位置にいる可能性を判断する。アクセス時の位置が、蓄積された位置情報の履歴に多く見られる場合には、短いパスワードなど、ユーザにとって使い勝手の良い簡潔な認証方法により本人認証を行い、蓄積された位置情報の履歴にあまり見られない位置からのアクセスの場合、長いパスワードなどセキュリティ強度の高い複雑な認証方法により本人認証を行う、というものである。
【０００５】
特許文献１に記載されている内容は位置情報を用いてセキュリティ機能とユーザの使い勝手のバランスをとっているものの、あくまで暗証番号、パスワードを用いたロックを前提としているものであり、本発明とはその性質を異にするものである。
【０００６】
他の不正利用防止方法としては、指紋などの生体情報を使うものもある。指紋を使った方法としては、携帯端末に指紋検出部を設け、指紋検出部に当てられた指の指紋を読み取り、予め登録された本人の指紋と照合し、読み取った指紋が予め登録された指紋と一致した場合にロック状態を解除する方法等がある。このような例は例えば特許文献２に開示されている。
【特許文献１】特開２００４−１１８４５６号公報
【特許文献２】特開２００２−０３４０７５号公報
【発明の開示】
【発明が解決しようとする課題】
【０００７】
しかし上記のような不正利用の防止法にはいずれにも問題があった。暗証番号、パスワードによるロック機能の場合は予めロックを行うための操作が必要であり、電源投入後や操作するためにロックを解除する際にはロック解除操作を行わなければならない。また、それが終わると再度ロックをするための操作が必要となり、正当な持ち主が操作するときにも手間がかかってしまう。そのため、携帯端末にロック機能が内蔵されていても使用されないことが多い。また、暗証番号、パスワードは可能な限りの組み合わせをすべて試すことで、必ずロックを解除できてしまう。
【０００８】
また、指紋などの生体情報を使用する場合は操作に手間はかからないが、携帯端末に照合装置を別途設ける必要があり、携帯端末のコストが高くなってしまう問題や小型化の障害になる問題がある。
【０００９】
本発明はこのような問題を解決するためになされたものであり、携帯端末の他人による不正使用に対して、面倒な操作を必要とせず、コストアップのないセキュリティシステムを有する携帯端末を提供することを目的とする。
【課題を解決するための手段】
【００１０】
本発明にかかる携帯端末は、少なくとも現在位置特定手段と、特定の位置範囲の設定を記憶する位置範囲記憶手段と、電源の充電を制御する充電制御手段と、電源となる二次電池と、前記二次電池を充電する充電手段とを備え、位置範囲記憶手段に記憶された位置範囲以外では、充電を不可能にするものである。このような構成により、携帯端末の他人による不正使用に対して、面倒な操作を必要とせず、コストアップのないセキュリティシステムを有する携帯端末を提供することができる。
【００１１】
また、現在位置特定手段はＧＰＳ（衛星利用測位システム）であってもよい。これにより、より詳細な位置範囲の指定が可能となる。
【発明の効果】
【００１２】
本発明により、携帯端末の他人による不正使用に対して、面倒な操作を必要とせず、コストアップのないセキュリティシステムを有する携帯端末を提供することができる。
【発明を実施するための最良の形態】
【００１３】
以下に、本発明を適用可能な実施の形態が説明される。以下の説明は、本発明の実施形態を説明するものであり、本発明が以下の実施形態に限定されるものではない。また、説明の明確化のため、以下の記載は、適宜、省略及び簡略化がなされている。又、当業者であれば、以下の実施形態の各要素を、本発明の範囲において容易に変更、追加、変換することが可能である。
【００１４】
実施の形態１
図１は本発明の実施の形態１にかかる携帯電話１００を表す図である。図によれば携帯電話１００は少なくともマイク、スピーカー、ＣＯＤＥＣなどから構成される携帯電話通話部１、携帯電話の通信を行う携帯電話通信部２、基地局との電波の送受信を行う携帯電話アンテナ部３、あらかじめ充電可能な位置範囲を設定しておき、その内容によって充電をおこなうかどうかを決定する充電制御部４、携帯電話通信部から携帯電話装置の位置情報を取得する位置情報受信部５、二次電池の充電を行う充電部６、携帯電話１００に電源を供給する二次電池７から構成される。
【００１５】
ここで、あらかじめ設定しておく充電可能な位置範囲は自宅や勤務先等、主に携帯電話の充電を行う場所に絞るべきである。更には携帯電話１００の所有者の充電器のみに指定するのがもっともセキュリティ強度は高くなる。充電可能な位置範囲が広い、もしくは多いと、盗難や紛失によって他者の手に渡ったときにその携帯電話を取得した第三者が充電可能となる確率が高くなるからである。よって、充電可能な位置範囲は主に携帯電話の充電を行うなるべく狭い範囲に絞り、範囲を広げすぎないことが好ましい。また、充電可能な位置範囲の広さによってセキュリティ強度と使用時の融通のバランスを調整することができる。
【００１６】
携帯電話としての動作については従来の携帯電話と同様であり、通話を行う際は携帯電話通話部１で音声の入出力と復号化を行い、携帯電話通信部２で携帯電話の通信を行い、携帯電話アンテナ部３で電波の送受信を行う。また、電源は二次電池７から供給される。二次電池７を充電制御部４の制御のもと充電部６によって充電する際に、位置情報による制御が行われる。充電制御部４が、携帯電話１００が充電プラグに差し込まれる等して充電部６から二次電池７への充電開始動作を検出した場合、位置情報受信部５から携帯電話１００の位置情報を受け取る。携帯電話の場合、通信を行う基地局のＩＤを位置情報として利用することができる。また、基地局のＩＤ以外の情報を利用できる場合はその情報を位置情報として利用してもよい。
【００１７】
充電制御部４では位置情報受信部５から受け取った位置情報を、予め設定された充電可能な位置範囲の情報と比較する。予め設定する位置範囲は基地局のＩＤの集合でもよいし位置と範囲でもよい。比較の結果、現在位置が予め設定された充電可能な位置範囲内にあれば、充電制御部４は充電部６から二次電池７への充電を許可する。現在位置が充電可能な位置範囲から外れていたら、充電制御部４は充電部６から二次電池７への充電を許可しない。
【００１８】
図２に携帯電話１００を充電する際の動作のフローチャートを示す。充電制御部４が充電部６から二次電池７への充電を感知すると、充電制御部４は位置情報受信部５から、携帯電話１００の現在位置情報を受け取る（Ｓ１０１）。このとき、まだ充電部６から二次電池７へは電力は供給されていない。次に予め設定され充電制御部４に記憶されている充電可能な範囲の情報と、位置情報受信部５から受け取った現在位置情報を比較する（Ｓ１０２）。現在位置が充電可能範囲内であれば充電制御部４は充電を許可し、充電部６から二次電池７へ電力が供給される（Ｓ１０３）。現在位置が充電可能範囲外であれば充電制御部４は充電を許可せず、充電部６から二次電池７へ電力は供給されない（Ｓ１０４）。
【００１９】
以上説明したように本発明にかかる携帯電話１００を用いて、充電可能な位置範囲を自宅や勤務先等のごく限られた範囲に限定しておけば、携帯電話１００の盗難および紛失があった場合にでも、それを取得した第三者は取得した携帯電話１００を充電することができないため、一定時間後には電源が切れ、使用不可能となる。このような構成を用いれば、他者による携帯電話の不正使用を抑制する目的において、電源起動時や使用時の暗証番号入力によるロック解除や使用終了時のロック設定等、面倒な操作を繰りかえし行わずに済む。また、指紋照合等のコストのかかるハードウェアを設ける必要もなくなる。
【００２０】
実施の形態２
次に本発明の実施の形態２にかかる携帯情報端末について図３を用いて説明する。図３は本発明の実施の形態２にかかる携帯情報端末２００を示すブロック図である。図によると携帯情報端末２００は携帯情報端末部８の他に少なくとも、充電制御部９、位置情報受信部１０、ＧＯＳアンテナ部１１、充電部１２および二次電池１３から構成される。携帯情報端末部８は携帯情報端末２００の本体部分であり、携帯情報端末２００の主な機能はすべてここに含まれる。
【００２１】
充電制御部９は少なくとも予め充電可能な位置範囲を設定し記憶する手段と、充電部１２から二次電池１３への充電を制御する手段とを有するものである。充電制御部９は位置情報受信部１０より現在位置を受信し、予め設定され記憶されている充電可能な位置範囲と現在位置とを比較し、その結果に従って充電部１２から二次電池１３への充電を制御する。
【００２２】
ここで、あらかじめ設定しておく充電可能な位置範囲は自宅や勤務先等、主に携帯情報端末２００の充電を行う場所に絞るべきである。更には携帯情報端末２００の所有者の充電器のみに指定するのがもっともセキュリティ強度は高くなる。充電可能な位置範囲が広い、もしくは多いと、盗難や紛失によって他者の手に渡ったときにその携帯情報端末２００を取得した第三者が充電可能となる確率が高くなるからである。よって、充電可能な位置範囲は主に携帯情報端末２００の充電を行うなるべく狭い範囲に絞り、範囲を広げすぎないことが好ましい。また、充電可能な位置範囲の広さによってセキュリティ強度と使用時の融通のバランスを調整することができる。
【００２３】
位置情報受信部１０はＧＰＳアンテナ部１１より携帯情報端末２００の現在位置情報を取得する手段と、取得した現在位置情報を充電制御部９へ出力する手段とを有する。ＧＰＳアンテナ部１１は携帯情報端末２００の現在位置情報を受信するアンテナである。充電部１２は二次電池１３の充電を行う。二次電池１３は携帯情報端末２００へ電源を供給し、充電部１２によって充電される。
【００２４】
次に、携帯情報端末２００を充電する際の具体的な動作について、図４に示すフローチャートを用いて説明する。充電制御部９が充電部１２から二次電池１３への充電を感知すると、充電制御部９は位置情報受信部１０から、携帯情報端末２００の現在位置情報を受け取る（Ｓ２０１）。このとき、まだ充電部１２から二次電池１３へは電力は供給されていない。次に予め設定され充電制御部９に記憶されている充電可能な範囲の情報と、位置情報受信部１０から受け取った現在位置情報を比較する（Ｓ２０２）。現在位置が充電可能範囲内であれば充電制御部９は充電を許可し、充電部１２から二次電池１３へ電力が供給される（Ｓ２０３）。現在位置が充電可能範囲外であれば充電制御部９は充電を許可せず、充電部１２から二次電池１３へ電力は供給されない（Ｓ２０４）。
【００２５】
以上説明したように本発明にかかる携帯情報端末２００を用いて、充電可能な位置範囲を自宅や勤務先等のごく限られた範囲に限定しておけば、携帯情報端末２００の盗難および紛失があった場合でも、それを取得した第三者は取得した携帯情報端末２００を充電することができないため、一定時間後には電源が切れ、使用不可能となる。このような構成を用いれば、他者による携帯電話の不正使用を抑制する目的において、電源起動時や使用時の暗証番号入力によるロック解除や使用終了時のロック設定等、面倒な操作を繰りかえし行わずに済む。また、指紋照合等のコストのかかるハードウェアを設ける必要もなくなる。
【図面の簡単な説明】
【００２６】
【図１】本発明の実施の形態１にかかる携帯電話の構成を示すブロック図である。
【図２】本発明の実施の形態１にかかる携帯電話の動作を示すフローチャートである。
【図３】本発明の実施の形態２にかかる携帯情報端末の構成を示すブロック図である。
【図４】本発明の実施の形態２にかかる携帯情報端末の動作を示すフローチャートである。
【符号の説明】
【００２７】
１  携帯電話通話部、２  携帯電話通信部、３  携帯電話アンテナ部、
４  充電制御部、５  位置情報受信部、６  充電部、７  二次電池、
８  携帯情報端末部、９  充電制御部、１０  位置情報受信部、
１１  アンテナ部、１２  充電部、１３、二次電池、１００  携帯電話、
２００  携帯情報端末
【図１】
2006013685.tif 000003
【図２】
2006013685.tif 000004
【図３】
2006013685.tif 000005
【図４】
2006013685.tif 000006